(57)【特許請求の範囲】
【請求項１】
内側部材と、
前記内側部材の表面を覆う空間を形成し、前記空間を外部から密封する外側壁部と、
液体、粉体もしくは粒状体である熱伝導媒体と
を備え、
前記内側部材の表面の所定比率以上の部分が前記熱伝導媒体を介して当該部分に対向する前記外側壁面の部分と接する状態である高熱伝導率状態と、前記内側部材の表面の前記所定比率以上の部分が前記空間を挟んで当該部分に対向する前記外側壁面の部分と隔離されるとともに前記空間を所定の気圧以下に減圧した状態である低熱伝導率状態とを選択的に取り得る構造を備える
器具であって、
前記器具の所定の部分を第１の部分とし、前記第１の部分が上方に位置する場合に下方に位置する部分を第２の部分とする場合、
前記第１の部分が上方に位置し前記第２の部分が下方に位置する状態において、前記熱伝導媒体が自重により前記空間内を下方に移動することにより、前記低熱伝導率状態が実現され、
前記第１の部分が下方に位置し前記第２の部分が上方に位置する状態において、前記熱伝導媒体が自重により前記空間内を下方に移動することにより、前記高熱伝導率状態が実現される
器具。
【請求項２】
前記空間のうち前記低熱伝導率状態において前記熱伝導媒体が占める部分を前記空間の他の部分から遮断する遮断壁部と、
前記遮断壁部を開閉する開閉機構と
を備える請求項１に記載の器具。
【請求項３】
前記開閉機構は、外部からの磁力に応じて前記遮断壁部の少なくとも一部が移動する機構である
請求項２に記載の器具。
【請求項４】
前記開閉機構は、外部からの無線信号に応じて動作し前記遮断壁部の少なくとも一部を移動するモータを有する
請求項２または３に記載の器具。
【請求項５】
前記熱伝導媒体は磁性体であり、
磁石と、
前記低熱伝導率状態において前記磁石を前記第２の部分の外側に固定し、前記高熱伝導率状態において前記磁石を前記第１の部分の外側に固定する固定機構と
を備える
請求項１に記載の器具。
【請求項６】
前記高熱伝導率状態において、前記熱伝導媒体の一部を前記外側壁部から隔離して収容可能な収容部を備える
請求項１乃至５のいずれかに記載の器具。
【発明の詳細な説明】
【技術分野】
【０００１】
本発明は、放熱もしくは吸熱を制御可能な機能を備えた器具に関する。
【背景技術】
【０００２】
古くから、様々な状況下において物の温度を長時間保ちたいというニーズがある。例えば、一度沸かしたお湯を長時間保温したり、一度冷やした水を長時間保冷したりできれば、お湯や冷水が必要な時に速やかにそれらを利用することができ便利である。この例であれば、一般に魔法瓶と呼ばれる断熱性の高い容器がそのニーズを満たす器具として広く知られている。
【０００３】
魔法瓶でお湯を保温する場合や、冷水を保冷する場合、ユーザはやかんなどで沸かしたお湯や冷蔵庫でペットボトルなどに入れて冷やした水を魔法瓶に移し替える必要がある。その手間を省く器具として、例えば電動ケトルなどと呼ばれる器具がある。電動ケトルは沸いたお湯を保温するように断熱性の高い素材もしくは構造の容器を備え、電熱ヒーターにより容器内の水を沸かす仕組みを持っている。
【０００４】
また、特許文献１においては、電熱ヒーターを用いずに容器内の水を沸かすとともに、沸かした水（お湯）を他の容器に移し替えることなく保温するための器具が提案されている。特許文献１に開示の器具においては、外容器と内容器とからなる二重構造の容器が用いられ、それらの容器間の空間には蒸発と凝縮とを繰り返す熱媒体が封入されている。また、外容器と内容器との間の空間からは空気が抜かれ低圧な状態とされている。
【０００５】
ユーザがその器具の中に例えば水を入れ、外容器の外側からガスコンロなどの加熱器具により加熱を行うと、外容器と内容器との間に封入されている熱媒体が、高温となった外容器に触れて蒸発し、低温な内容器に触れて凝縮して液体に戻り、重力により外容器へと流れ落ちる、という挙動を繰り返す。その結果、外から加えられる熱により容器内の水が高温となる。
【０００６】
加熱を止めると、熱媒体の蒸発と凝縮のサイクルが止まり、熱媒体は重力に従い外容器の底に溜まる。外容器と内容器とは低圧な空間で遮られているため、容器の外部と内部との間の熱伝導性が低い。その結果、加熱により高温となった水は長時間にわたり保温される。
【先行技術文献】
【特許文献】
【０００７】
【特許文献１】特開昭６２−２４３５１５
【発明の概要】
【発明が解決しようとする課題】
【０００８】
上述した電動ケトルや特許文献１に記載の器具によれば、器具に入れた水を沸かした後、そのまま保温することができ便利である。ただし、これらのいずれの器具も、水などの収容物を冷却した後、そのまま保冷したい、というニーズを満たすことはできない。
【０００９】
また、私たちの身の回りには、例えば晴れた日の日中に照りつける太陽の熱のように、利用されていない熱資源が豊富にある。それらの熱資源は水を沸騰させるほどまで高温でないものも多い。そのような熱資源は、特許文献１に記載の器具によっては利用することができない。なぜなら、特許文献１に記載の器具においては、外部の温度が熱媒体の沸点以上の温度である必要があるためである。
【００１０】
そこで、本発明は、熱利用の利便性を高めるための手段を提供することを目的とする。
【課題を解決するための手段】
【００１１】
本発明は、上記の目的に鑑みて想到されたものであり、
内側部材と、
前記内側部材の表面を覆う空間を形成し、前記空間を外部から密封する外側壁部と、
液体、粉体もしくは粒状体である熱伝導媒体と
を備え、
前記内側部材の表面の所定比率以上の部分が前記熱伝導媒体を介して当該部分に対向する前記外側壁面の部分と接する状態である高熱伝導率状態と、前記内側部材の表面の前記所定比率以上の部分が前記空間を挟んで当該部分に対向する前記外側壁面の部分と隔離されるとともに前記空間を所定の気圧以下に減圧した状態である低熱伝導率状態とを選択的に取り得る構造を備える
器具を提供する（第１の実施態様）。
【００１２】
また、上記の第１の実施態様において、
前記器具の所定の部分を第１の部分とし、前記第１の部分が上方に位置する場合に下方に位置する部分を第２の部分とする場合、
前記第１の部分が上方に位置し前記第２の部分が下方に位置する状態において、前記熱伝導媒体が自重により前記空間内を下方に移動することにより、前記低熱伝導率状態が実現され、
前記第１の部分が下方に位置し前記第２の部分が上方に位置する状態において、前記熱伝導媒体が自重により前記空間内を下方に移動することにより、前記高熱伝導率状態が実現される
構成を採用してもよい（第２の実施態様）。
【００１３】
また、上記の第２の実施態様において、
前記空間のうち前記低熱伝導率状態において前記熱伝導媒体が占める部分を前記空間の他の部分から遮断する遮断壁部と、
前記遮断壁部を開閉する開閉機構とを備える
構成を採用してもよい（第３の実施態様）。
【００１４】
また、上記の第３の実施態様において、
前記開閉機構は、外部からの磁力に応じて前記遮断壁部の少なくとも一部が移動する機構である
構成を採用してもよい（第４の実施態様）。
【００１５】
また、上記の第３または４の実施態様において、
前記開閉機構は、外部からの無線信号に応じて動作し前記遮断壁部の少なくとも一部を移動するモータを有する
構成を採用してもよい（第５の実施態様）。
【００１６】
また、上記の第２の実施態様において、
前記熱伝導媒体は磁性体であり、
磁石と、
前記低熱伝導率状態において前記磁石を前記第２の部分の外側に固定し、前記高熱伝導率状態において前記磁石を前記第１の部分の外側に固定する固定機構と
を備える
構成を採用してもよい（第６の実施態様）。
【００１７】
また、上記の第２乃至６のいずれかの実施態様において、
前記高熱伝導率状態において、前記熱伝導媒体の一部を前記外側壁部から隔離して収容可能な収容部を備える
構成を採用してもよい（第７の実施態様）。
【００１８】
また、上記の第１の実施態様において、
前記空間内に前記熱伝導媒体を充填することにより前記高熱伝導率状態を実現する熱伝導媒体充填機構と、
前記空間内から前記熱伝導媒体を抜き取ることにより前記低熱伝導率状態を実現する熱伝導媒体抜き取り機構とを備える
構成を採用してもよい（第８の実施態様）。
【００１９】
また、上記の第８の実施態様において、
前記空間内から空気を抜き取り前記低熱伝導率状態における前記空間の前記減圧した状態を実現する空気抜き取り機構を備える
構成を採用してもよい（第９の実施態様）。
【発明の効果】
【００２０】
本発明の第１の実施態様にかかる器具によれば、ユーザは、器具の内外間の熱交換が盛んに行われる状態（高熱伝導率状態）とほとんど行われない状態（低熱伝導率状態）とを切り替えることができる。その結果、例えば高熱伝導率状態に切り替えた状態で冷却を行い、内容物を低温とした後に低熱伝導率状態に切り替えて保冷をするなど、様々な用途に用いることができる。
【００２１】
また、本発明の第２の実施態様にかかる器具によれば、器具の上下方向を逆さまにすることで、上述の高熱伝導率状態と低熱伝導率状態とを切り替えることができ、例えば熱伝導媒体をポンプなどで移動させる仕組みを採用する場合と比較して、その構造を簡易化できる。
【００２２】
また、本発明の第３の実施態様にかかる器具によれば、熱伝導媒体を所定の場所に保持することで、器具が横転等をしても低熱伝導率状態が維持される。
【００２３】
また、本発明の第４の実施態様にかかる器具によれば、熱伝導媒体を所定の場所に保持するための遮断壁部の開閉が磁力により遠隔操作されるため、器具内の密封性が容易に確保できる。
【００２４】
また、本発明の第５の実施態様にかかる器具によれば、モータで開閉機構を作動させるので、電池を器具内に内蔵させることで、器具内の密封性が容易に確保できる。
【００２５】
また、本発明の第６の実施態様にかかる器具によれば、磁石により磁性体の熱伝導媒体を所定の位置に保持することで、器具が横転等しても低熱伝導率状態を維持したり、逆に高熱伝導率状態を維持したりすることができる。
【００２６】
また、本発明の第７の実施態様にかかる器具によれば、ユーザが熱伝導に貢献する熱伝導媒体の量を調整することで、熱伝導率を調整することができる。そのため、内容物の熱を緩やかに放出させたい場合や、内容物に緩やかに熱を吸収させたい場合などに便利である。
【００２７】
また、本発明の第８の実施態様にかかる器具によれば、熱伝導媒体充填機構および熱伝導媒体抜き取り機構を備えることで、例えば器具が大きくその全体の向き（上下）の変更が困難な場合であっても、高熱伝導率状態と低熱伝導率状態との切り替え機能を備えた器具が実現される。
【００２８】
また、本発明の第９の実施態様にかかる器具によれば、空気の抜き取りにより、低熱伝導率状態における熱伝導率をさらに下げることができる。
【図面の簡単な説明】
【００２９】
【図１】図１は、本発明の第１実施例にかかる器具の断面図である。
【図２】図２は、本発明の第２実施例にかかる器具の断面図である。
【図３】図３は、本発明の第３実施例にかかる器具の断面図である。
【図４】図４は、本発明の第４実施例にかかる器具の断面図である。
【図５】図５は、本発明の第４実施例にかかる器具の遮断板および開閉板の平面図である。
【図６】図６は、本発明の第４実施例にかかる器具の遮断板および開閉板の動作を示す図である。
【図７】図７は、本発明の第５実施例にかかるシステムの概略を表す図である。
【発明を実施するための形態】
【００３０】
（第１実施例）
以下、本発明の一具体例である第１実施例にかかる器具１を、図面を用いて説明する。
【００３１】
図１は、本実施例にかかる器具１の断面図であり、図１（ｂ）は図１（ａ）に示す器具１の上下を逆にした状態を示している。器具１は、以下に説明する構造により、図１（ａ）に示す状態においては内外間の熱伝導率が低く（低熱伝導率状態）、図１（ｂ）に示す状態においては内外間の熱伝導率が高い（高熱伝導率状態）。
【００３２】
そのため、ユーザは器具１の上下方向を変えることで、器具１の内容物の温度を保持するモードと、器具１の内容物の熱を放出させたり器具１の内容物に熱を吸収させたりするモードとを切り替えることができる。
【００３３】
まず、器具１は、外容器１１と、外容器１１の内側に配置される内容器１２とを備え、全体としてそれらの容器による二重構造となっている。
【００３４】
外容器１１は例えばステンレスで作られており、円筒状の形状を有する側部１１１と、側部１１１と一体成形され側部１１１に連続する平らな底部１１２とを有している。また、外容器１１の底部１１２に対向する面は開口している。
【００３５】
内容器１２は外容器１１と同様に例えばステンレスで作られており、外容器１１の側部１１１より直径がやや小さい円筒状の形状を有する側部１２１と、側部１２１と一体成形され側部１２１に連続する底部１２２とを有し、内容器１２の底部１２２に対向する面は開口している。
【００３６】
ただし、底部１２２の形状は外容器１１の底部１１２の形状とは異なり、図１（ａ）の状態において頂点が下に位置する円錐形状（すなわち中心に向かい下に凹む形状）を有している。そのような形状を有していることにより、図１（ａ）の状態から図１（ｂ）の状態に移行する際に熱伝導媒体１３（後述）が移動しやすくなっている。
【００３７】
外容器１１と内容器１２との間に生じる空間には熱伝導媒体１３が封入されている。熱伝導媒体１３は器具１の外部と器具１の内容器１２内に収容される収容物との間の熱の移動経路を構成する流体、粉体もしくは粒状体であり、熱伝導率が高い方が望ましく、また融点が低く沸点が高い方が望ましい。さらに、熱伝導媒体１３は図１（ａ）と図１（ｂ）との状態間の遷移に伴い自重により外容器１１と内容器１２との間の空間を移動する流動性を有している必要がある。器具１においては、それらの条件を満たすものとして水が熱伝導媒体１３として採用されている。
【００３８】
外容器１１と内容器１２の開口側の端部には、外容器１１と内容器１２との隙間を埋めるように断熱封止部１４が設けられている。
【００３９】
断熱封止部１４は外容器１１の開口側の端縁と内容器１２の開口側の端縁との間に生じる隙間を塞ぎ、外容器１１と内容器１２との間の空間を器具１の外部および内容器１２の内側の空間から隔離する役割を果たす。また、断熱封止部１４は外容器１１に対する内容器１２の位置を固定するとともに、外容器１１と内容器１２との間の熱の移動を妨げる役割を果たす。
【００４０】
断熱封止部１４は上記の役割を果たすため、例えば断熱性の高い硬質プラスチックで作られている。器具１においてはそのような硬質プラスチックの例として、ポリカーボネートが断熱封止部１４の素材として採用されている。
【００４１】
外容器１１と内容器１２との間の空間は、熱伝導媒体１３が入った状態で断熱封止部１４により密封される際、真空ポンプで排気され、例えば、１０−１パスカル程度の中真空ないし高真空（以下、「低圧」と呼ぶ）の状態とされている。
【００４２】
器具１はさらに、内容器１２の開口部に着脱可能な蓋部１５を備えている。蓋部１５は図１の上下方向の断面が「凸」字形状となる概ね円盤状の部材であり、図１に示すように内容器１２の開口部に嵌り込んで内容器１２の内側の空間を器具１の外部から水密に封止する。そのため、蓋部１５が内容器１２と接する面にはシリコンゴムなどのパッキンが取り付けられている。
【００４３】
また、蓋部１５は内容器１２の開口部を塞いだ状態において外容器１１と内容器１２との間の熱の移動を妨げることが望ましく、器具１においてはポリカーボネートが蓋部１５の本体の素材として採用されている。
【００４４】
なお、外容器１１と内容器１２とは、図１（ａ）の状態において、断熱封止部１４および蓋部１５を介して互いに接触する以外、いずれの部分においても互いに接触しない。
【００４５】
上述した構造を備える器具１の使用例を以下に説明する。なお、以下の説明において、外容器１１および内容器１２の開口部がある側を単に「開口側」と呼び、外容器１１および内容器１２の底部がある側を単に「底側」と呼ぶ。
【００４６】
ユーザは、まず図１（ａ）に示されるように器具１の開口側を上にした状態で蓋部１５を取り外し、開いた開口部から内容器１２の中へ常温の飲料を注ぎ入れる。その後、蓋部１５を内容器１２の開口部に嵌め込んで蓋をする。
【００４７】
続いて、ユーザは飲料の入った器具１を上下逆にして冷蔵庫に入れる。すなわち、器具１は図１（ｂ）に示されるように、底側が上となり開口側が下となった状態で冷蔵庫内に置かれる。
【００４８】
図１（ｂ）の状態においては、熱伝導媒体１３が自重により器具１の底側から開口側に移動し、外容器１１の側部１１１と内容器１２の側部１２１との間の空間全体が熱伝導媒体１３により充填される。その結果、内容器１２の内側と器具１の外側との間に、内容器１２、熱伝導媒体１３および外容器１１を介した熱の移動経路が形成され、高熱伝導率状態が実現される。
【００４９】
ここで、冷蔵庫の中の温度は器具１の中に入っている飲料の温度より通常低いため、飲料の持つ熱は内容器１２、熱伝導媒体１３、外容器１１の順に移動し、器具１の外部へと放出される。その結果、飲料が冷却される。
【００５０】
ユーザは、例えば冷たい飲料を飲みながらデスクワークをするために、冷蔵庫から器具１を取り出し、自分のデスクに持って行く。その際、ユーザは図１（ａ）に示されるように開口側が上となるようにして、器具１をデスクの上に置く。
【００５１】
図１（ａ）の状態においては、熱伝導媒体１３が自重により器具１の開口側から底側に移動し、外容器１１と内容器１２とが熱伝導率が低い断熱封止部１４および蓋部１５を介した接触を除き隔離される。ここで、外容器１１と内容器１２との間の隙間は低圧となっており、空気を介した熱の移動は無視できる程度である。その結果、内容器１２の内側と器具１の外側との間の熱の移動が極めて遅い低熱伝導率状態が実現される。
【００５２】
低熱伝導率状態においては、内容器１２内の飲料の熱がほとんど器具１の外部へ放出されない。そのため、ユーザはデスクにいながら器具１の蓋部１５を取り外しては冷たい飲料を飲み、再度、蓋部１５を取り付けることにより、内容器１２に残った飲料をその後も保冷することができる。従って、時間の経過とともにぬるくなった飲料を飲まなければならないといった不都合がなく、また飲料を飲みたいと思った時にその都度、デスクと冷蔵庫との間を往復する必要もなく便利である。
【００５３】
（第２実施例）
以下、本発明の他の一具体例である第２実施例にかかる器具２を、図面を用いて説明する。なお、器具２は多くの点で器具１と共通するため、以下においては器具２が器具１と異なる点を中心に説明し、また同様の構成要素に対しては同じ参照番号を用いるものとする。
【００５４】
図２は器具２の概略を表す断面図であり、図２（ａ）が低熱伝導率状態の器具２を示し、図２（ｂ）が高熱伝導率状態の器具２を示す。
【００５５】
器具２には、器具１において水であった熱伝導媒体１３に代えて、砂鉄（鉄の粉状体もしくは粒状体）が熱伝導媒体２３として用いられる。また、器具２は、熱伝導媒体２３を磁力により引き付けるためのリング状の磁石２５を備えている。
【００５６】
磁石２５の内側面には、例えば薄いシリコンゴムのコーティングがなされており、その内径は外容器１１の外径よりごく僅かに小さく、磁石２５の内側に外容器１１が挿入された状態でシリコンゴムが弾性変形することで、磁石２５が外容器１１の外側に固定されている。
【００５７】
上記のように磁石２５は磁石２５の内側面をコーティングするシリコンゴムと外容器１１の外側面との間の摩擦力により外容器１１に対し固定されているため、ユーザはその摩擦力以上の力を加えることにより磁石２５を外容器１１に対し上下方向に動かすことができるが、磁石２５が自重により外容器１１に対し下方へと移動してしまうことはない。
【００５８】
ユーザは器具２の上下を反対にすることによらず、磁石２５を外容器１１に対し上下方向に移動させることにより、熱伝導媒体２３を上下に移動させることができる。
【００５９】
すなわち、ユーザは内容器１２の中に収容した収容物の温度を保ちたい場合、磁石２５を底側に移動する。それにより、熱伝導媒体２３は図２（ａ）に示すように磁石２５に引き寄せられ底側に留まる。その結果、低熱伝導率状態が実現され、収容物の保温もしくは保冷が行われる。
【００６０】
また、ユーザは内容器１２の中に収容した収容物に加熱したい場合、もしくは収容物を冷却したい場合、磁石２５を開口側に移動する。それにより、熱伝導媒体２３は図２（ｂ）に示すように磁石２５に引き寄せられ開口側に留まる。その結果、高熱伝導率状態が実現され、収容物に対する加熱もしくは収容物の冷却が可能となる。
【００６１】
器具２においては、熱伝導媒体２３が自重に依らずとも磁石２５の磁力により底側もしくは開口側に留まるため、ユーザは器具２の上下の向きにかかわらず、低熱伝導率状態もしくは高熱伝導率状態を切り替えることができる。
【００６２】
従って、例えばユーザが暖かい飲料もしくは冷たい飲料を収容した器具２を鞄に入れて保温もしくは保冷しつつ持ち運ぶような場合において、ユーザは磁石２５を底側に移動した状態の器具２をその向きを気にすることなく鞄内に無造作に入れることができる。すなわち、器具２が鞄の中で横転もしくは上下逆となっても、磁石２５の磁力により熱伝導媒体２３は自重に逆らい底側に留まるため、低熱伝導率状態が維持され、保温もしくは保冷が行われる。
【００６３】
同様に、ユーザは例えば器具２に入れた飲料を冷蔵庫で冷やしたい場合、磁石２５を開口側に移動した状態の器具２をその向きを気にすることなく冷蔵庫に入れることができる。従って、例えば冷蔵庫内のスペース上の問題で器具２を立てて置くことができないような場合でも、器具２を横倒しにして冷蔵庫に置くことで飲料を冷却することができる。
【００６４】
（第３実施例）
以下、本発明のさらに他の一具体例である第３実施例にかかる器具３を、図面を用いて説明する。なお、器具３もまた多くの点で器具１と共通するため、以下においては器具３が器具１と異なる点を中心に説明し、また同様の構成要素に対しては同じ参照番号を用いるものとする。
【００６５】
図３は器具３の概略を表す断面図であり、図３（ａ）が低熱伝導率状態の器具３を示し、図３（ｂ）が高熱伝導率状態の器具３を示す。
【００６６】
器具３は、器具１の底部１２２の形状とは異なる形状の底部３２２を備えている。器具３の底部３２２は図３（ａ）の状態において頂点が上に位置する円錐形状（すなわち、図３（ｂ）の状態において、中心に向かい下に凹む形状）を有している。
【００６７】
そのような形状を有していることにより、ユーザは器具３を振るなどして熱伝導媒体１３の一部を底部３２２の凹み部分に留まらせることで、高熱伝導率状態において外容器１１と内容器１２との間に充填される熱伝導媒体１３の量を調整することができる。その結果、高熱伝導率状態における熱伝導率が調整され、高温の内容物の熱を緩やかに器具１の外に放出させたり、低温の内容物に器具１の周りの熱を緩やかに吸収させたりすることができる。
【００６８】
なお、器具３においては、外容器１１の素材はステンレスなどの金属ではなく、透明性の高い強化ガラスなどが望ましい。ユーザが底部３２２の凹み部分に留まっている熱伝導媒体１３の量を目視で確認できるためである。
【００６９】
（第４実施例）
以下、本発明のさらに他の一具体例である第４実施例にかかる器具４を、図面を用いて説明する。なお、器具４もまた多くの点で器具１と共通するため、以下においては器具４が器具１と異なる点を中心に説明し、また同様の構成要素に対しては同じ参照番号を用いるものとする。
【００７０】
図４は器具４の概略を表す断面図である。
【００７１】
器具４は、底部１１２と底部１２２との間に、外容器１１と内容器１２との間の空間を開口側の空間と底側の空間の２つに分かつ遮断板４６と、遮断板４６に設けられた孔を開閉可能に塞ぐ開閉板４７と、開閉板４７を移動させるために用いられる磁石スライダ４８を備えている。
【００７２】
遮断板４６および開閉板４７は、低熱伝導率状態において器具４が横転等した際に熱伝導媒体１３が底側から開口側へと移動することを妨げる役割を果たす。
【００７３】
図５は遮断板４６および開閉板４７の平面図であり、図５（ａ）が遮断板４６を、図５（ｂ）が開閉板４７を各々示す。図５に示されるように、遮断板４６および開閉板４７は全体として円盤状の形状を有している。
【００７４】
遮断板４６には、熱伝導媒体１３が開口側と底側の２つの空間の間を移動する際の通路を形成する孔４６１および孔４６２が設けられている。同様に、開閉板４７にも、熱伝導媒体１３が開口側と底側の２つの空間の間を移動する際の通路を形成する孔４７１および孔４７２が、遮断板４６における孔４６１および孔４６２と同じ位置および形状で設けられている。
【００７５】
遮断板４６の中心位置には、開口側へと突起する円柱形状の軸棒４６３が設けられている。一方、開閉板４７の中心位置には、遮断板４６の軸棒４６３の直径よりごく僅かに大きい直径の軸受孔４７３が設けられている。
【００７６】
遮断板４６は外容器１１の内側面上に円周方向に２段に設けられたスリット（図示略）に嵌め込まれ、外容器１１に対し回動することなく固定されている。
【００７７】
開閉板４７は、軸受孔４７３に軸棒４６３が挿入された状態で、外容器１１の内側面上に円周方向に２段に設けられたスリット（図示略）に嵌め込まれ、遮断板４６の開口側の面上に重なり合う状態で、外容器１１に対し軸棒４６３の軸周りに回動可能に固定されている。
【００７８】
また、遮断板４６の開口側の面上には、孔４６１および孔４６２の縁部を一周するようにシリコンゴムのパッキン４６４およびパッキン４６５が取り付けられている。パッキン４６４およびパッキン４６５は、開閉板４７が軸棒４６３の軸周りに回動して遮断板４６の孔４６１および孔４６２を塞ぐ際、遮断板４６と開閉板４７との上下方向の隙間を遮断し、熱伝導媒体１３が開口側および底側の２つの空間の間を移動することを阻止する役割を果たす。
【００７９】
磁石スライダ４８は、外容器１１の外側面上に円周方向に９０度ほどの範囲で設けられたレール（図示略）上をスライドするケース内に磁石が埋め込まれた構造をしている。
【００８０】
開閉板４７の開口側の面上には、磁石４７４が取り付けられている。磁石４７４は磁力により磁石スライダ４８に引き付けられ、ユーザが磁石スライダ４８をレールに沿って移動させると、それに伴い開閉板４７を軸棒４６３の軸周りに回動させる役割を果たす。
【００８１】
図６は、開閉板４７の回動により遮断板４６の孔４６１および孔４６２が開閉される様子を示す図である。図６（ａ）は磁石スライダ４８が１２時の方向に位置しており、孔４６１および孔４６２と孔４７１および孔４７２の位置が各々一致している。この状態においては、開口側および底側の空間がそれらの孔によって連通するため、熱伝導媒体１３がそれらの空間の間を移動することができる。
【００８２】
ユーザが磁石スライダ４８を図６（ａ）の位置から反時計回りに約９０度スライドさせると、磁石スライダ４８の磁力に引き付けられる磁石４７４が開閉板４７を軸棒４６３の軸周りに回動させ、図６（ｂ）に示す状態になる。この状態においては、遮断板４６の孔４６１および孔４６２が開閉板４７により塞がれるため、熱伝導媒体１３はそれらの空間の間を移動することができない。
【００８３】
ユーザは当然ながら、磁石スライダ４８を図６（ｂ）の位置から時計回りに約９０度スライドさせることにより、再び図６（ａ）の状態に切り替えることもできる。
【００８４】
ユーザは、例えば磁石スライダ４８を１２時の位置に移動させた状態で暖かい飲料を器具４に入れる。その状態において、熱伝導媒体１３は孔４６１およびそれに連通した孔４７１と、孔４６２およびそれに連通した孔４７２とを通って底側の空間に移動している。
【００８５】
続いて、ユーザは蓋部１５で蓋をした後、磁石スライダ４８を反時計回りに９０度移動させる。その状態において、底側の空間に移動している熱伝導媒体１３は開口側の空間に移動できなくなる。
【００８６】
ユーザはそのように熱伝導媒体１３を底側の空間に閉じ込めた状態の器具４を例えば鞄に入れて持ち歩くことができる。その際、鞄内で器具４が横転等しても、熱伝導媒体１３が開口側の空間に移動することがなく低熱伝導率状態が維持され、飲料の保温が行われる。
【００８７】
（第５実施例）
以下、本発明のさらに他の一具体例である第５実施例にかかる太陽熱利用システム５を、図面を用いて説明する。
【００８８】
太陽熱利用システム５は、晴れた日中において太陽熱により温水を作っておき、曇りもしくは雨天や夜間といった太陽熱が利用できない期間にその温水を利用するためのシステムである。
【００８９】
図７は、本実施例にかかる太陽熱利用システム５の概略を表す断面図である。
【００９０】
太陽熱利用システム５は、まず、内側部材５１と、内側部材５１を外側から覆うように設けられた外側壁部５２との二重構造を備えている。内側部材５１および外側壁部５２は上底および下底が塞がれた筒状態であり、例えばその断面は円形（すなわち、円柱形状）である。なお、外側壁部５２の外側面は、太陽光による熱の吸収を高めるために黒く塗装されている。
【００９１】
内側部材５１は外側壁部５２の底面上に配置された断熱素材のブロックである断熱支持部材５４の上に配置されている。断熱支持部材５４は外側壁部５２に対し内側部材５１を接触させることなく支持するとともに、その断熱性により内側部材５１と外側壁部５２との間の熱の移動を極力妨げる。
【００９２】
内側部材５１と外側壁部５２との間の空間には、熱伝導媒体５３が充填され得る。熱伝導媒体５３は、例えば水である。
【００９３】
内側部材５１と外側壁部５２の間の空間には、熱伝導媒体５３としての水を注入したり、抜き取ったりする装置である熱伝導媒体注入排出装置５５が取り付けられている。より詳しくは、熱伝導媒体注入排出装置５５が備える注入管５５１が外側壁部５２の上面に設けられた孔に、排出管５５２が外側壁部５２の底部付近に設けられた孔に、各々接続されている。なお、注入管５５１および排出管５５２と外側壁部５２との間は密封されており、その接続部から水や空気が出入りすることはない。
【００９４】
熱伝導媒体注入排出装置５５は注入モードにおいては本体内に設けられたタンクに蓄えられている熱伝導媒体５３としての水をポンプにより汲み上げ、注入管５５１からその水を内側部材５１と外側壁部５２との間の空間に注入する。一方、熱伝導媒体注入排出装置５５は排出モードにおいてはポンプにより排出管５５２から内側部材５１と外側壁部５２との間の空間に充填されている熱伝導媒体５３としての水を汲み出し、汲み出した水を本体内に設けられたタンクに蓄える。
【００９５】
内側部材５１と外側壁部５２の上面に近い部分には、それらを貫くように孔が設けられ、それらの孔を外部から内側部材５１の内側へと貫くように注水管５６が配置されている。注水管５６と内側部材５１および外側壁部５２が接する部分は断熱素材のパッキンにより水や空気が出入りしないように封止されている。注水管５６は上水道に接続され、内側部材５１の内側に水を注入する役割を果たす。
【００９６】
注水管５６は図示せぬ止水弁と、内側部材５１内の水位が所定位置以下となった場合に止水弁を開き、その水位が所定位置以上となった場合に止水弁を閉めるフロートとを有している。
【００９７】
内側部材５１と外側壁部５２の底部に近い部分には、それらを貫くように孔が設けられ、それらの孔を内側部材５１の内側から外部へと貫くように排水管５７が配置されている。排水管５７と内側部材５１および外側壁部５２が接する部分もまた、断熱素材のパッキンにより水や空気が出入りしないように封止されている。排水管５７は太陽熱利用システム５において太陽熱により暖められた水（お湯）をユーザの使用に供するために排出する役割を果たす。
【００９８】
また、例えば外側壁部５２の上面付近の内側面上には、内側部材５１と外側壁部５２の間の空間に入っている熱伝導媒体５３の量が概ね満水であることを検知する水位センサ５８が取り付けられている。さらに、外側壁部５２の底部付近の内側面上には、内側部材５１と外側壁部５２の間の空間に入っている熱伝導媒体５３の量が概ね空であることを検知する水位センサ５９が取り付けられている。水位センサ５８および水位センサ５９は熱伝導媒体注入排出装置５５に接続されており、それらのセンサからは熱伝導媒体注入排出装置５５に対し、満水もしくは渇水であることを示す信号が出力される。
【００９９】
また、外側壁部５２の外側面上（太陽光が直接当たらない部分）には、その部分の温度を計測する温度センサ６０が取り付けられている。同様に、内側部材５１の底部の内側面上にも、その部分の温度を計測する温度センサ６１が取り付けられている。温度センサ６０および温度センサ６１もまた熱伝導媒体注入排出装置５５に接続されており、それらのセンサからは熱伝導媒体注入排出装置５５に対し、例えば１分毎に現在の計測温度を示す信号が出力される。
【０１００】
上記のような構造を備える太陽熱利用システム５の動作を以下に説明する。
【０１０１】
太陽熱利用システム５の内側部材５１内には常に水が概ね満水となるように注入されている。より具体的には、排水管５７から排水が行われ内側部材５１内の水位が下がると、フロートが下がり注水管５６の止水栓が開き注水が開始され、その水位が所定位置以上に上がりフロートが上がると注水管５６の止水栓が閉められ注水が停止される。
【０１０２】
熱伝導媒体注入排出装置５５は温度センサ６０および温度センサ６１から出力される信号により外側壁部５２の温度と内側部材５１の温度を常に監視している。
【０１０３】
熱伝導媒体注入排出装置５５は、例えば外側壁部５２の温度（すなわち温度センサ６０から得られる信号が示す温度）が内側部材５１の温度（すなわち温度センサ６１から得られる信号が示す温度）より１度以上高い状態が１０分間以上継続すると、注入管５５１から熱伝導媒体５３としての水を内側部材５１と外側壁部５２との間の空間に注入する動作を開始する。その後、熱伝導媒体注入排出装置５５は水位センサ５８から満水を示す信号を受け取るとその注入動作を停止する。これにより、太陽熱利用システム５は内側部材５１の内部の水と外側壁部５２の外部との間を熱が移動可能な高熱伝導性状態となる。
【０１０４】
また、熱伝導媒体注入排出装置５５は、例えば外側壁部５２の温度（すなわち温度センサ６０から得られる信号が示す温度）が内側部材５１の温度（すなわち温度センサ６１から得られる信号が示す温度）より１度以上低い状態が１０分間以上継続すると、排出管５５２から熱伝導媒体５３としての水を内側部材５１と外側壁部５２との間の空間からタンクへと排出する動作を開始する。その後、熱伝導媒体注入排出装置５５は水位センサ５９から渇水を示す信号を受け取るとその排出動作を停止する。これにより、太陽熱利用システム５は内側部材５１の内部の水と外側壁部５２の外部との間を熱がほとんど移動できない低熱伝導性状態となる。
【０１０５】
なお、内側部材５１と外側壁部５２との間の空間は密閉されているため、熱伝導媒体５３としての水が排出された後のその空間は低圧の状態である。
【０１０６】
太陽熱利用システム５においては、上記のように、内側部材５１と外側壁部５２との温度の差に基づき自動的に高熱伝導性状態と低熱伝導性状態が切り替わる。そのため、十分な日照が得られる晴れた日中においては、通常、内側部材５１の温度より外側壁部５２の温度が高くなるため高熱伝導性状態に切り替わり、内側部材５１内の水が温められる。一方、曇天もしくは雨天や夜間など、十分な日照が得られない間は、通常、内側部材５１の温度より外側壁部５２の温度が低くなるため低熱伝導性状態に切り替わり、温められた水が保温される。
【０１０７】
従って、ユーザが必要に応じて排水管５７から水の供給を受ける場合、概ね常時、十分に暖かい水（お湯）を得ることができる。
【０１０８】
太陽熱利用システム５の運転に必要なエネルギーは、概ね熱伝導媒体注入排出装置５５による注水および排水に要するエネルギーのみであり、そのエネルギーの量は水をお湯にまで沸かすエネルギーと比べると通常、遙かに少ない。従って、太陽熱利用システム５によれば、著しい省エネルギーが達成される。
【０１０９】
ところで、上述した太陽熱利用システム５においては、内側部材５１の温度より外側壁部５２の温度が高い場合に高熱伝導性状態に切り替わり、内側部材５１の温度より外側壁部５２の温度が低い場合に低熱伝導性状態に切り替わるように熱伝導媒体注入排出装置５５が動作する。これは、冬場のようにお湯の使用頻度が高い場合に適したモードである。
【０１１０】
これに対し、夏場のように冷水の使用頻度が高い場合には、内側部材５１の温度より外側壁部５２の温度が高い場合に低熱伝導性状態に切り替わり、内側部材５１の温度より外側壁部５２の温度が低い場合に高熱伝導性状態に切り替わるように熱伝導媒体注入排出装置５５の動作を変更することも可能である。そのようなモードにおいては、夜間など外気が低温の際に比較的低温な水を作っておき、日中の外気が高温の際に太陽熱利用システム５から供給される比較的低温な水を利用することができる。
【０１１１】
なお、太陽熱利用システム５は昼夜における寒暖の差が大きい地域において特に有効である。
【０１１２】
（変形例）
上述した実施例は、本発明の技術的思想の範囲内において様々に変形が可能である。以下にそれらの変形の例を示す。
【０１１３】
上述した実施例にかかる器具もしくはシステムにおいては、熱伝導媒体として水もしくは砂鉄が用いられるものとしたが、本発明はそれに限られず、（１）熱伝導率が用途に応じて十分に高く、（２）流動性が十分に高く、（３）融点が用途に応じて十分に低く、（４）沸点が用途に応じて十分に高く、（５）破損時等における安全性が十分に高い、という条件を満たす限り、如何なる物質が熱伝導媒体として採用されてもよい。例えば、外容器と内容器との間の空間の圧力が極めて低圧である場合や加熱を伴う場合、シリコンオイルやチェーンソーオイルなど、水より沸点が高く、低圧高温でも気化しにくい物質が熱伝導媒体として採用される必要がある。
【０１１４】
また、上述した実施例にかかる器具もしくはシステムにおいて採用されている外容器（外側壁部）および内容器（内側部材）の素材はステンレスなどの特定の金属に限られず、熱伝導率がその用途に応じて十分に高く、強度が十分に高い、という条件を満たす限り、如何なる物質がそれらの素材として採用されてもよい。
【０１１５】
また、上述した実施例にかかる器具もしくはシステムにおいて採用されている断熱封止部や断熱支持部材などの素材も、ポリカーボネートなどの特定の樹脂に限られず、熱伝導率が十分に低く、強度が十分に高い、という条件を満たす限り、如何なる物質がそれらの素材として採用されてもよい。
【０１１６】
また、上述した実施例にかかる器具もしくはシステムにおいて採用されている各部材の形状やサイズは、図等により示されるものに限られず、他に様々な形状の部材が採用可能である点は言うまでもない。
【０１１７】
また、上述した実施例にかかる器具もしくはシステムの使用方法は上述したものに限られない。例えば、上述の説明においては、器具の内部に入れた飲料や水を冷やしたり温めたりして、その後、それらがユーザにより使用されるまでの間、保冷もしくは保温する目的で本発明にかかる器具もしくはシステムを使用する場合を想定してその使用方法を説明している。これに代えて、例えばカイロ、湯たんぽ、や保冷パック、ロックアイス等の代わりとして本発明にかかる器具もしくはシステムを用いることもできる。
【０１１８】
例えば、本発明にかかる器具をカイロとして使う場合、ユーザは器具にお湯もしくは保温材を入れた後、低熱伝導率状態にして鞄に入れて持ち歩く。その後、器具を高熱伝導率状態に切り替えることで、器具から放出される熱で手を温めることができる。
【０１１９】
また、本発明にかかる器具を保冷パックやロックアイスの代わりとして使う場合、ユーザは器具に水もしくは保冷材を入れ、高熱伝導率状態にして冷凍庫で凍らせたものを低熱伝導率状態にして鞄に入れて持ち歩く。その後、器具を高熱伝導率状態に切り替えることで、器具により吸熱が行われ周囲の冷却が行われる。例えば、器具のサイズを小さくすることで、グラスに注いだ飲料に器具を入れ、飲料を冷やしたりすることもできる。
【０１２０】
なお、本発明をカイロ、湯たんぽ、保冷パック、ロックアイス等の代わりとして用いる器具に用いる場合、熱伝導媒体の出し入れは必ずしも必要ではない。従って、それらの場合、外容器および内容器は必ずしも開口する必要はなく、またそれらの容器が開口しない場合、開口部を塞ぐための蓋部も不要である。
【０１２１】
また、内容器（内側部材）の中に収容される物質は飲料や水に限られない。例えば、本発明にかかる器具をカイロや保冷材代わりとして用いる場合、内容器の中には蓄熱量が高い物質が用いられることが望ましい。その場合、内容器内の物質は液体に限られず、ゲル状もしくは固体であってもよい。
【０１２２】
また、外容器と内容器との間は、低熱伝導率状態における熱の移動を極力なくすためにそれらの接触をなくすことが望ましいが、それらの強度を保つ等の目的で、外容器と内容器との間に断熱性の高い素材のスペーサを配置してもよい。ただし、それらのスペーサは熱伝導媒体の移動を妨げる量や形状であってはならない。
【０１２３】
また、上述の実施例においては外容器と内容器との間の空間の圧力を例えば１０−1パスカル程度の中真空ないし高真空であるものとしたが、低熱伝導率状態における外容器と内容器との間の空間の圧力は低ければ低いほど望ましい。
【０１２４】
また、器具４においては、遮断板４６に開けられた孔を、外部からの磁力により回動する開閉板４７により塞ぐ、という仕組みにより、外容器１１と内容器１２との間の空間を開口側と底側の２つの空間に分離するものとしたが、空間を分離する仕組みは、外容器１１と内容器１２との間の空間の密封状態を維持しつつ開閉可能な仕組みであれば、如何なる仕組みが採用されてもよい。
【０１２５】
例えば、器具４と同様の遮断板４６および開閉板４７を設け、電池から供給される電力で動作するモータの回転により開閉板４７が右回りおよび左回りに回動する仕組みにより、空間の分離および連通の切り替えが実現されてもよい。その場合、モータの動作をユーザが制御するために、例えば電波や赤外線を用いたリモートコントローラを利用することが考えられる。
【０１２６】
また、開閉板４７をユーザが外部から直接回転させる仕組みが採用されてもよい。ただし、その場合、開閉板４７の回動に伴い器具の内外間を空気もしくは液体が移動しないように、多重のパッキンなどの封止の仕組みが採用される必要がある。
【０１２７】
また、器具１ないし器具４の外容器と内容器との間の空間を低圧な状態とする方法は、真空ポンプを用いる方法に限られず、他の如何なる方法が用いられてもよい。例えば、低圧な状態とされた室内において外容器と内容器とを密封するように連結することによりそれらの容器間の空間を低圧とする方法や、熱伝導媒体を加熱して気化させたものを高温下において外容器と内容器との間の空間に充填した後に冷却して液化させることによりそれらの容器間の空間を低圧とする方法などが採用されてもよい。
【０１２８】
また、太陽熱利用システム５の内側部材５１と外側壁部５２との間の空間は、密封されているため熱伝導媒体注入排出装置５５により熱伝導媒体５３が排出されると同時に低圧となるものとしたが、熱伝導媒体５３の排出時には外気が流れ込み、流れ込んだ外気を別途、真空ポンプにより排気することで低圧としてもよい。
【産業上の利用可能性】
【０１２９】
本発明の器具は、飲料などの保温もしくは保冷、カイロや保冷材代わりの利用、太陽熱による温水利用など、一般家庭のみならず工場などの事業場においても広く利用され得るため、大量に製造・販売され、いわゆる製造業や小売業などのサービス業において利用可能である。
【符号の説明】
【０１３０】
１…器具、２…器具、３…器具、４…器具、５…太陽熱利用システム、１１…外容器、１２…内容器、１３…熱伝導媒体、１４…断熱封止部、１５…蓋部、２３…熱伝導媒体、２５…磁石、３２…内容器、４６…遮断板、４７…開閉板、４８…磁石スライダ、５１…内側部材、５２…外側壁部、５３…熱伝導媒体、５４…断熱支持部材、５５…熱伝導媒体注入排出装置、５６…注水管、５７…排水管、５８…水位センサ、５９…水位センサ、６０…温度センサ、６１…温度センサ
【図１】
0005649544.tif 000002
【図２】
0005649544.tif 000003
【図３】
0005649544.tif 000004
【図４】
0005649544.tif 000005
【図５】
0005649544.tif 000006
【図６】
0005649544.tif 000007
【図７】
0005649544.tif 000008